(57)【要約】【課題】不正機能因子を含んだ無線タグ回路素子の市場流通を防止する。【解決手段】タグラベル作成装置２は、印字済タグラベル用テープ１１０に備えられる無線タグ回路素子Ｔoとの間で信号の送受を行うアンテナ１４と、このアンテナ１４を介し無線タグ回路素子Ｔoへアクセスするための高周波回路２１と、タグラベル作成装置２全体の動作を制御するための制御回路３０と、メモリ部３００とを有する。メモリ部３００には、コンピュータウイルスのパターンファイル等の情報がデータベースとして格納保持されている。制御回路３０は、無線タグ回路素子Ｔoに書き込むための無線タグ情報を入力し、無線タグ情報にウイルス関連データが含まれているかどうかをチェックし、ウイルス関連データが検出されたときには、無線タグ回路素子Ｔoへの無線タグ情報の書き込みを行わないように制御する。【選択図】図８
2008027145.tif 000002
【特許請求の範囲】
【請求項１】
情報を記憶するＩＣ回路部及びこのＩＣ回路部に接続されたタグ側アンテナを備えた無線タグ回路素子を備えたタグ媒体を搬送する搬送手段と、
前記無線タグ回路素子との間で無線通信により情報の送受信を行うための送受信手段と、
前記送受信手段を介し前記無線タグ回路素子に書き込むための無線タグ情報を入力するタグ情報入力手段と、
この無線タグ情報入力手段で入力した前記無線タグ情報における不正機能因子を検出する第１不正検出手段と
を有することを特徴とする無線タグ情報通信装置。
【請求項２】
請求項１記載の無線タグ情報通信装置において、
前記第１不正検出手段は、
前記タグ情報入力手段で入力した前記無線タグ情報に含まれる前記不正機能因子としてのコンピュータウイルス関連データを検出するウイルス検出手段を備えることを特徴とする無線タグ情報通信装置。
【請求項３】
請求項１記載の無線タグ情報通信装置において、
前記第１不正検出手段は、
前記タグ情報入力手段で入力した前記無線タグ情報に含まれる前記不正機能因子としての所定の高危険性データを検出する危険データ検出手段を備えることを特徴とする無線タグ情報通信装置。
【請求項４】
請求項３記載の無線タグ情報通信装置において、
前記危険データ検出手段で前記高危険性データが検出された場合、当該高危険性データを安全化処理する安全化手段
を備えることを特徴とする無線タグ情報通信装置。
【請求項５】
請求項１乃至４のいずれか１項記載の無線タグ情報通信装置において、
前記第１不正検出手段で前記不正機能因子を検出した場合、対応する制御信号を生成する制御信号生成手段
を有することを特徴とする無線タグ情報通信装置。
【請求項６】
情報を記憶するＩＣ回路部及びこのＩＣ回路部に接続されたタグ側アンテナを備えた無線タグ回路素子を備えたタグ媒体を搬送する搬送手段と、
前記無線タグ回路素子との間で無線通信により情報の送受信を行うための送受信手段と、
前記送受信手段を介し前記無線タグ回路素子に書き込むための無線タグ情報を入力するタグ情報入力手段と、
前記タグ情報入力手段で入力した無線タグ情報に対応する印字を、前記タグ媒体又はこれに貼り合わせる被印字媒体に行う印字手段と、
前記無線タグ情報に不正機能因子が存在するかどうかを検出するための不正機能因子情報をデータベースに格納保持する記憶装置と、
この記憶装置の前記データベースより取得した前記不正機能因子情報を用いて、前記タグ情報入力手段で入力した無線タグ情報の前記不正機能因子を検出する第２不正検出手段と
を有することを特徴とするタグラベル作成装置。
【請求項７】
請求項６記載のタグラベル作成装置において、
前記記憶装置に問い合わせ信号を出力し、前記データベース内の前記不正機能因子情報を取得する不正因子情報取得手段を有し、
前記第２不正検出手段は、前記不正因子情報取得手段で取得した前記不正機能因子情報を用いて、前記タグ情報入力手段で入力した無線タグ情報の前記不正機能因子を検出することを特徴とするタグラベル作成装置。
【請求項８】
請求項６又は７記載のタグラベル作成装置において、
前記記憶装置は、
前記データベース内の前記不正機能因子情報を、所定時間ごとに最新情報に更新するための最新情報取得手段を備えることを特徴とするタグラベル作成装置。
【請求項９】
所定の無線タグ情報を記憶するＩＣ回路部と、
このＩＣ回路部に接続されるタグ側アンテナとを有する無線タグ回路素子であって、
前記ＩＣ回路部は、
前記無線タグ情報が不正機能因子を含まない旨の識別子を書き込まれていることを特徴とする無線タグ回路素子。
【請求項１０】
所定の無線タグ情報を記憶するＩＣ回路部とこのＩＣ回路部に接続されたタグ側アンテナとを有する無線タグ回路素子との間で無線通信により情報の送受信を行う装置側アンテナと、
前記無線タグ回路素子の前記ＩＣ回路部へアクセスするためのアクセス情報を生成し、前記装置側アンテナを介して前記無線タグ回路素子へ送信し、前記ＩＣ回路部に記憶された情報の読み取りを行う情報アクセス手段と、
この情報アクセス手段での情報読み取りにおいて、前記ＩＣ回路部の前記無線タグ情報が不正機能因子を含まない旨の識別子を取得したかどうかを判定する判定手段と
を有することを特徴とする無線タグ情報読み取り装置。
【請求項１１】
請求項１０記載の無線タグ情報読み取り装置において、
前記判定手段で前記識別子を取得していないと判定されたときには、前記情報アクセス手段での情報読み取り結果に基づく当該無線タグ回路素子の対象物情報の取得を行わず、前記判定手段で前記識別子を取得したと判定されたときには、前記情報アクセス手段での情報読み取り結果に基づき当該無線タグ回路素子の対象物情報の取得を実行する対象物情報取得手段
を有することを特徴とする無線タグ情報読み取り装置。
【請求項１２】
請求項１１記載の無線タグ情報読み取り装置において、
前記判定手段で前記識別子を取得していないと判定されたときには、対応する報知を行うための報知信号を生成する報知信号生成手段を有することを特徴とする無線タグ情報読み取り装置。
【発明の詳細な説明】
【技術分野】
【０００１】
本発明は、外部と情報送受信可能な無線タグ回路素子と情報通信を行う無線タグ情報通信装置、その無線タグ回路素子、当該無線タグ回路素子を備えた無線タグラベルを作成するタグラベル作成装置、及び無線タグ回路素子に備えられた無線タグ情報を読み取る無線タグ情報読み取り装置に関する。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。無線タグに備えられる無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、物品管理や検査工程等の様々な分野において既に実用化が進んでいる。
【０００３】
例えばこの無線タグはラベル状に形成され、例えばラベルの裏面に備えられた粘着剤によって貼り付け対象物品に貼り付けられる。このとき、ＩＣ回路部に記憶された情報のセキュリティー上の観点から、情報の改ざんの有無を検証できるようにした従来技術が既に提唱されている（例えば、特許文献１参照）。
【０００４】
この従来技術においては、無線タグ回路素子に記憶されるタグＩＤ等の無線タグ情報の管理を行う管理端末と、その無線タグ情報を格納した無線タグ回路素子を備えた無線タグの製造を行う工場用端末と、無線タグ情報の失効を判定可能な利用端末とを備えている。そして、利用端末からの検証要求に基づき、管理端末がその利用端末からの検証要求に含まれるタグＩＤと、予め管理端末内の管理データベースに格納してあるタグＩＤとを比較し、正当なものであるか否か（改ざんされていないかどうか）を検証し、その検証の結果を利用端末に送信するようになっている。
【０００５】
【特許文献１】特許３５７８０５７号公報
【発明の開示】
【発明が解決しようとする課題】
【０００６】
既に、コンピュータネットワークへ不正に侵入し各種の破壊的活動を行うコンピュータウイルスが大きな社会問題となっているが、近年、無線タグに感染可能なウイルスの存在が明らかになった。
【０００７】
上記従来技術は、無線タグ回路素子のＩＣ回路部内の情報のセキュリティーを確保することを目的として、製造時にデータベースに格納された無線タグ情報（上記の例ではタグＩＤ）と現在の無線タグ情報とを比較し、相違がある場合には改ざんされたものであると判定するようになっている。しかしながら、その相違はどのようにして生じたかについては不明のままであり、例えば通信エラー等によって何らかの誤差因子が生じてしまったからなのか、上記のような感染性のあるウイルスに感染したのか、若しくはサイバー攻撃等の意図を持つ何者かによって破壊性のある危険性の高いデータが埋め込まれたのか等を判別することはできない。すなわち、無線タグ情報における上記ウイルスや高危険性データ等の不正機能因子の検出については特に配慮されておらず、またそのような不正機能因子を含んだ無線タグが市場に流通するのを未然に防止することもできなかった。
【０００８】
本発明の目的は、不正機能因子を含んだ無線タグ回路素子の市場流通を防止できる無線タグ情報通信装置、無線タグ回路素子、タグラベル作成装置、及び無線タグ情報読み取り装置を提供することにある。
【課題を解決するための手段】
【０００９】
上記目的を達成するために、第１の発明は、情報を記憶するＩＣ回路部及びこのＩＣ回路部に接続されたタグ側アンテナを備えた無線タグ回路素子を備えたタグ媒体を搬送する搬送手段と、前記無線タグ回路素子との間で無線通信により情報の送受信を行うための送受信手段と、前記送受信手段を介し前記無線タグ回路素子に書き込むための無線タグ情報を入力するタグ情報入力手段と、この無線タグ情報入力手段で入力した前記無線タグ情報における不正機能因子を検出する第１不正検出手段とを有することを特徴とする。
【００１０】
本願第１発明においては、無線タグ回路素子を備えたタグ媒体が搬送手段で搬送され、当該無線タグ回路素子に対し、タグ情報入力手段で入力された無線タグ情報が送受信手段を介し書き込まれる。このとき、第１不正検出手段が、無線タグ情報入力手段で入力した無線タグ情報における不正機能因子を検出することにより、不正機能因子が検出された場合には、無線タグ回路素子への無線タグ情報の書き込みを行わないようにすることが可能となる。この結果、書き込まれた情報の正当性が確保され、不正機能因子を備えた無線タグ回路素子の市場流通を防止することができる。
【００１１】
第２発明は、上記第１発明において、前記第１不正検出手段は、前記タグ情報入力手段で入力した前記無線タグ情報に含まれる前記不正機能因子としてのコンピュータウイルス関連データを検出するウイルス検出手段を備えることを特徴とする。
【００１２】
第１不正検出手段に備えられたウイルス検出手段が、無線タグ情報入力手段で入力した無線タグ情報におけるコンピュータウイルス関連データを検出することにより、コンピュータウイルス関連データ（コンピュータウイルスに冒されたファイルを指し示すデータなど）を備えた無線タグ回路素子の市場流通を防止することが可能となる。この結果、悪意のサイバー攻撃等に利用されるのを防止することができる。
【００１３】
第３発明は、上記第１発明において、前記第１不正検出手段は、前記タグ情報入力手段で入力した前記無線タグ情報に含まれる前記不正機能因子としての所定の高危険性データを検出する危険データ検出手段を備えることを特徴とする。
【００１４】
第１不正検出手段に備えられた危険データ検出手段が、無線タグ情報入力手段で入力した無線タグ情報における高危険性データを検出することにより、破壊性のある危険性の高いデータを備えた無線タグ回路素子の市場流通を防止することが可能となる。この結果、悪意のサイバー攻撃等に利用されるのを防止することができる。
【００１５】
第４発明は、上記第３発明において、前記危険データ検出手段で前記高危険性データが検出された場合、当該高危険性データを安全化処理する安全化手段を備えることを特徴とする。
【００１６】
高危険性データ検出時に、当該危険性の高いデータを安全化手段で安全化処理することにより、高危険性データを備えた無線タグ回路素子の市場流通を確実に防止することができる。
【００１７】
第５発明は、上記第１乃至第４発明のいずれかにおいて、前記第１不正検出手段で前記不正機能因子を検出した場合、対応する制御信号を生成する制御信号生成手段を有することを特徴とする。
【００１８】
これにより、不正機能因子検出時に、設定（報知や中止の選択、報知の方法など）にもとづいてその旨を表示して操作者に報知したり、あるいは無線タグの作成を行わないようにしたりすることができる。
【００１９】
上記目的を達成するために、第６の発明は、情報を記憶するＩＣ回路部及びこのＩＣ回路部に接続されたタグ側アンテナを備えた無線タグ回路素子を備えたタグ媒体を搬送する搬送手段と、前記無線タグ回路素子との間で無線通信により情報の送受信を行うための送受信手段と、前記送受信手段を介し前記無線タグ回路素子に書き込むための無線タグ情報を入力するタグ情報入力手段と、前記タグ情報入力手段で入力した無線タグ情報に対応する印字を、前記タグ媒体又はこれに貼り合わせる被印字媒体に行う印字手段と、前記無線タグ情報に不正機能因子が存在するかどうかを検出するための不正機能因子情報をデータベースに格納保持する記憶装置と、この記憶装置の前記データベースより取得した前記不正機能因子情報を用いて、前記タグ情報入力手段で入力した無線タグ情報の前記不正機能因子を検出する第２不正検出手段とを有することを特徴とする。
【００２０】
本願第６発明においては、無線タグ回路素子を備えたタグ媒体が搬送手段で搬送され、当該無線タグ回路素子に対し、タグ情報入力手段で入力された無線タグ情報が送受信手段を介し書き込まれる。一方このとき、記憶装置に備えられたデータベースに不正機能因子情報が格納保持されており、第２不正検出手段が、その不正機能因子情報を用いて、無線タグ情報入力手段で入力した無線タグ情報における不正機能因子を検出する。これにより、不正機能因子が検出された場合には、無線タグ回路素子への無線タグ情報の書き込みを行わないようにすることが可能となる。この結果、書き込まれた情報の正当性が確保され、不正機能因子を備えた無線タグ回路素子の市場流通を防止することができる。
【００２１】
第７発明は、上記第６発明において、前記記憶装置に問い合わせ信号を出力し、前記データベース内の前記不正機能因子情報を取得する不正因子情報取得手段を有し、前記第２不正検出手段は、前記不正因子情報取得手段で取得した前記不正機能因子情報を用いて、前記タグ情報入力手段で入力した無線タグ情報の前記不正機能因子を検出することを特徴とする。
【００２２】
不正因子情報取得手段が問い合わせ信号を出力してデータベース内の不正機能印字情報を取得し、第２不正検出手段がその不正機能因子情報を用いて無線タグ情報における不正機能因子を検出することにより、所定のタイミングで高頻度に不正機能因子の検出を行うことが可能となる。
【００２３】
第８発明は、上記第６又は第７発明において、前記記憶装置は、前記データベース内の前記不正機能因子情報を、所定時間ごとに最新情報に更新するための最新情報取得手段を備えることを特徴とする。
【００２４】
データベース内の不正機能因子情報が最新情報に更新されることにより、日々刻々と出現するコンピュータウイルスに係わるウイルス関連データや高危険性データ等の不正機能因子に確実に対応し、それらを備えた無線タグ回路素子の市場流通を確実に防止することができる。
【００２５】
上記目的を達成するために、第９の発明は、所定の無線タグ情報を記憶するＩＣ回路部と、このＩＣ回路部に接続されるタグ側アンテナとを有する無線タグ回路素子であって、前記ＩＣ回路部は、前記無線タグ情報が不正機能因子を含まない旨の識別子を書き込まれていることを特徴とする。
【００２６】
これにより、ＩＣ回路部の情報読み取りを行ったとき、識別子が書き込まれているどうかで無線タグ情報の不正機能因子の有無を推定（検出）することができる。この結果、識別子が書き込まれていない場合には不正機能因子が含まれているとみなして、対象物情報の取得を行わないようにし、これによって無線タグ回路素子として十分な機能を果たさなくなることから、不正機能因子が機能することを防止することができる。
【００２７】
上記目的を達成するために、第１０の発明は、所定の無線タグ情報を記憶するＩＣ回路部とこのＩＣ回路部に接続されたタグ側アンテナとを有する無線タグ回路素子との間で無線通信により情報の送受信を行う装置側アンテナと、前記無線タグ回路素子の前記ＩＣ回路部へアクセスするためのアクセス情報を生成し、前記装置側アンテナを介して前記無線タグ回路素子へ送信し、前記ＩＣ回路部に記憶された情報の読み取りを行う情報アクセス手段と、この情報アクセス手段での情報読み取りにおいて、前記ＩＣ回路部の前記無線タグ情報が不正機能因子を含まない旨の識別子を取得したかどうかを判定する判定手段とを有することを特徴とする。
【００２８】
本願第１０発明においては、情報アクセス手段で生成されたアクセス情報が装置側アンテナを介し無線タグ回路素子へ送信され、ＩＣ回路部の記憶情報の読み取りが行われる。そして、この読み取りの際、不正機能因子を含まない旨の識別子を取得したかどうかが判定手段で判定される。これにより、識別子を取得していないと判定された場合には、ＩＣ回路部に記憶された無線タグ情報に不正機能因子が含まれているとみなして対象物情報の取得を行わないようにし、これによってこれによって無線タグ回路素子の利用を事実上行えなくなることから、不正機能因子が機能するのを防止することが可能となる。
【００２９】
第１１発明は、上記第１０発明において、前記判定手段で前記識別子を取得していないと判定されたときには、前記情報アクセス手段での情報読み取り結果に基づく当該無線タグ回路素子の対象物情報の取得を行わず、前記判定手段で前記識別子を取得したと判定されたときには、前記情報アクセス手段での情報読み取り結果に基づき当該無線タグ回路素子の対象物情報の取得を実行する対象物情報取得手段を有することを特徴とする。
【００３０】
識別子を取得したと判定された場合には、ＩＣ回路部の無線タグ情報に不正機能因子が含まれていないとみなして、対象物情報取得手段で対象物情報の取得を行い、通常の利用を行うことができる。一方識別子を取得していないと判定された場合には、対象物情報取得手段でＩＣ回路部の無線タグ情報に不正機能因子が含まれているとみなして、タグ情報取得手段が対象物情報の取得を行わないようにし、これによって不正機能因子の市場流通を防止することができる。
【００３１】
第１２発明は、上記第１１発明において、前記判定手段で前記識別子を取得していないと判定されたときには、対応する報知を行うための報知信号を生成する報知信号生成手段を有することを特徴とする。
【００３２】
これにより、識別子を取得していないと判定された場合に、無線タグ情報に不正機能因子が含まれている旨を操作者に報知することができる。
【発明の効果】
【００３３】
本発明によれば、不正機能因子を含んだ無線タグ回路素子の市場流通を防止することができる。
【発明を実施するための最良の形態】
【００３４】
以下、本発明の一実施の形態を図面を参照しつつ説明する。
【００３５】
図１は、本実施形態のタグラベル作成装置（無線タグ情報通信装置）が適用される無線タグ生成システムを表すシステム構成図である。この実施形態は、本発明を無線タグの生成システムに適用した場合の実施形態である。
【００３６】
図１に示すこの無線タグ生成システム１において、本実施形態によるタグラベル作成装置２（無線タグ情報通信装置）は、有線あるいは無線による通信回線３を介してルートサーバ４、端末５、汎用コンピュータ６、及び複数の情報サーバ７に接続されている。情報サーバ７のメモリ部（図示せず）には、無線タグラベルＴの無線タグ回路素子Ｔoの対象物である物品の物品情報（対象物情報）が物品データベースとして登録されている。
【００３７】
図２は、上記タグラベル作成装置２の詳細構造を表す概念的構成図である。
【００３８】
図２において、タグラベル作成装置２は、装置本体８が備えられている。装置本体８は、カートリッジ１００（無線タグ回路素子カートリッジ）が着脱可能に取り付けられ嵌合されるカートリッジホルダ部（図示せず）を備え外郭を構成する筐体９と、カバーフィルム１０３（被印字媒体）に所定の印字（印刷）を行う印字手段としての印字ヘッド（この例ではサーマルヘッド）１０と、カバーフィルム１０３への印字が終了したインクリボン１０５を駆動するリボン巻取りローラ駆動軸１１と、カバーフィルム１０３と基材テープ１０１（タグ媒体）とを貼り合わせつつ印字済タグラベル用テープ１１０としてカートリッジ１００から繰り出すための圧着ローラ１０７（搬送手段）と、この圧着ローラ１０７を駆動するための駆動軸１２と、印字済タグラベル用テープ１１０に備えられる無線タグ回路素子Ｔo（詳細は後述）との間で所定の周波数（例えば、ＵＨＦ帯、マイクロ波帯、短波帯等）を用いて無線通信により信号の送受を行うアンテナ１４（装置側アンテナ、送受信手段）と、上記印字済タグラベル用テープ１１０を所定のタイミングで所定の長さに切断しラベル状の無線タグラベルＴ（詳細は後述）を生成するカッタ１５と、上記無線通信による信号送受時において無線タグ回路素子Ｔoをアンテナ１４に対向する所定のアクセスエリアに設定保持するとともに、切断後のテープ１１０（＝無線タグラベルＴ）を案内するための一対の搬送ガイド１３と、その案内された無線タグラベルＴを搬出口（排出口）１６へと搬送し送出する搬送手段としての送出ローラ１７と、搬出口１６における無線タグラベルＴの有無を検出するセンサ１８とを有している。
【００３９】
一方、装置本体８はまた、上記アンテナ１４を介し上記無線タグ回路素子Ｔoへアクセスする（読み取り又は書き込みを行う）ための高周波回路２１と、無線タグ回路素子Ｔoから読み出された信号を処理するための信号処理回路２２と、前述したリボン巻取りローラ駆動軸１１、テープ送りローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、上記高周波回路２１、信号処理回路２２、カートリッジ駆動回路２４、印刷駆動回路２５、ソレノイド駆動回路２７、送出ローラ駆動回路２９等を介し、タグラベル作成装置２全体の動作を制御するための制御回路３０と、ＨＤＤ等から構成されるメモリ部３００（記憶装置）とを有する。
【００４０】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介して通信回線３に接続され、この通信回線３に接続された前述のルートサーバ４、他の端末５、汎用コンピュータ６、及び情報サーバ７等との間で情報のやりとりが可能となっている。
【００４１】
メモリ部３００には、無線タグ回路素子Ｔoに入り込む不正機能因子の情報が、予めデータベースとして格納保持されている。不正機能因子としては、ウイルス関連データ（コンピュータウイルスに冒されたファイルを指し示すデータなど）や、サイバー攻撃等の意図を持つ何者かによって作成された破壊性のある高危険性データなどがあり、データベースには、上記ウイルス関連データに係るコンピュータウイルスの特徴を収集したパターンファイルや、上記高危険性データに係わる種々の情報が格納保持されている。この不正機能因子の情報は、通信回線３より入出力インターフェイス３１及び制御回路３０を介して所定時間ごと（例えば一日おき）に更新されるようになっている（最新情報取得手段）。これにより、ウイルス関連データや高危険性データ等の不正機能因子情報として、日々刻々と出現する最新の情報を得ることができる。
【００４２】
図３は、カートリッジ１００の詳細構造を説明するための説明図である。
【００４３】
図３において、カートリッジ１００は、筐体１００Ａと、この筐体１００Ａ内に配置され帯状の上記基材テープ１０１が巻回された第１ロール１０２と、上記基材テープ１０１と略同じ幅である透明な上記カバーフィルム１０３が巻回された第２ロール１０４と、上記インクリボン１０５（熱転写リボン、但しカバーフィルムが感熱テープの場合は不要）を繰り出すリボン供給側ロール１１１と、印字後のリボン１０５を巻取るリボン巻取りローラ１０６と、上記基材テープ１０１と上記カバーフィルム１０３とを押圧し接着させ上記印字済タグラベル用テープ１１０としつつ矢印Ａで示す方向にテープ送りをする（＝テープ送りローラとしても機能する）上記圧着ローラ１０７とを有する。
【００４４】
第１ロール１０２は、リール部材１０２ａの周りに、長手方向に複数の無線タグ回路素子Ｔoが所定の等間隔で順次形成された上記基材テープ１０１を巻回している。
【００４５】
基材テープ１０１はこの例では４層構造となっており（図３中部分拡大図参照）、内側に巻かれる側（図３中右側）よりその反対側（図３中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙１０１ｄの順序で積層され構成されている。
【００４６】
ベースフィルム１０１ｂの裏側（図３中左側）には、情報の送受信を行うアンテナ（タグ側アンテナ）１５２が一体的に設けられており、これに接続するように情報を更新可能に（ワンタイムone-timeにあるいは書き換え可能rewritableに）記憶するＩＣ回路部１５１が形成され、これらによって無線タグ回路素子Ｔoが構成されている。
【００４７】
ベースフィルム１０１ｂの表側（図３中右側）には、後にカバーフィルム１０３を接着するための上記粘着層１０１ａが形成され、またベースフィルム１０１ｂの裏側（図３中左側）には、無線タグ回路素子Ｔoを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００４８】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるリボン１０５が、上記印字ヘッド１０に押圧されることで当該カバーフィルム１０３の裏面に当接させられるようになっている。
【００４９】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記テープ送りローラ駆動軸１２に伝達されることによって回転駆動される。
【００５０】
上記構成のカートリッジ１００において、上記第１ロール１０２より繰り出された基材テープ１０１は、圧着ローラ１０７へと供給される。一方、第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるインクリボン１０５が、上記印字ヘッド１０に押圧されることで当該カバーフィルム１０３の裏面に当接させられるようになっている。
【００５１】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述のテープ送りローラ駆動軸１２と上記サブローラ１０９及びプラテンローラ１０８はギヤ（図示せず）にて連結されており、テープ送りローラ駆動軸１２の駆動に伴い圧着ローラ１０７、サブローラ１０９、及びプラテンローラ１０８が回転し、第１ロール１０２から基材テープ１０１が繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面に印字Ｒ（後述の図６参照）が印刷される。そして、上記基材テープ１０１と上記印刷が終了したカバーフィルム１０３とが上記圧着ローラ１０７及びサブローラ１０９により接着されて一体化され、印字済タグラベル用テープ１１０として形成され、カートリッジ１００外へと搬出される（矢印Ｃ参照）。なお、カバーフィルム１０３への印字が終了したインクリボン１０５は、リボン巻取りローラ駆動軸１１の駆動によりリボン巻取りローラ１０６に巻取られる。
【００５２】
図４は、上記高周波回路２１の詳細機能を表す機能ブロック図である。この図４において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００５３】
送信部３２は、無線タグ回路素子ＴoのＩＣ回路部１５１の無線タグ情報にアクセスする(読み取り又は書き込み)ための搬送波を発生させる水晶振動子３５、制御回路３０からの制御信号（搬送波発生指令信号）に応じ所定の周波数の信号を発生させるＰＬＬ（Phase  Locked  Loop）３６、及びＶＣＯ（Voltage  Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波（無線タグ情報）を、制御回路３０からの「ＴＸ＿ＰＷＲ」信号によって増幅率を決定し増幅する可変送信アンプ３９とを備えている。そして、上記発生される搬送波は、好適にはＵＨＦ帯、マイクロ波帯、あるいは短波帯の周波数を用いており、上記送信アンプ３９の出力は、送受分離器３４を介してアンテナ１４に伝達されて無線タグ回路素子ＴoのＩＣ回路部１５１に供給される。なお、無線タグ情報は上記のように変調した信号に限られず、単なる搬送波のみの場合もある。
【００５４】
受信部３３は、アンテナ１４により受信された無線タグ回路素子Ｔoからの反射波と上記発生させられた搬送波とを乗算し復調する受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記アンテナ１４により受信された無線タグ回路素子Ｔoからの反射波と上記発生された後に移相器４９で位相を９０°遅らせた搬送波とを乗算する受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００５５】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態のタグラベル作成装置２では、Ｉ−Ｑ直交復調によって無線タグ回路素子Ｔoからの反射波の復調が行われる。
【００５６】
図５は、上記無線タグ回路素子Ｔoの機能的構成を表す機能ブロック図である。この図５において、無線タグ回路素子Ｔoは、タグラベル作成装置２側のアンテナ１４と前述の所定周波数を用いて非接触で信号の送受信を行う上記アンテナ１５２と、このアンテナ１５２に接続された上記ＩＣ回路部１５１とを有している。
【００５７】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００５８】
変復調部１５８は、アンテナ１５２により受信された上記タグラベル作成装置２のアンテナ１４からの通信信号の復調を行うと共に、上記制御部１５５からの応答信号に基づき、アンテナ１５２が受信した搬送波を変調し、アンテナ１５２より反射波として再送信する。
【００５９】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００６０】
クロック抽出部１５６は受信した信号からクロック成分を抽出して制御部１５５にクロックを抽出するものであり、受信した信号のクロック成分の速度に対応したクロックを制御部１５５に供給する。
【００６１】
図６は、上述のようにして無線タグ回路素子Ｔoの情報書き込み及び印字済タグラベル用テープ１１０の切断が完了し形成された無線タグラベルＴの外観の一例を表す図であり、図６（ａ）は上面図（すなわちカバーフィルム１０３側から見た図）、図６（ｂ）は下面図（すなわち剥離紙１０１ｄ側から見た図）である。
【００６２】
この図６において、無線タグラベルＴは、図３に示した４層構造にカバーフィルム１０３が加わった５層構造となっており、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２を含む無線タグ回路素子Ｔoが粘着層１０１ｃ内に備えられるとともに、カバーフィルム１０３の裏面に印字Ｒ（この例では無線タグラベルＴの種類を示す「ＲＦ−ＩＤ」の文字）が印刷されている。
【００６３】
図７（ａ）及び図７（ｂ）は、上記無線タグラベルＴに備えられた上記無線タグ回路素子Ｔoの上記メモリ部１５７に記憶されたデータ内容を概念的に表す図である。
【００６４】
これら図７（ａ）及び図７（ｂ）において、無線タグラベルＴの無線タグ回路素子Ｔoのメモリ部１５７には、タグ識別情報としてのタグＩＤ（図中単に「ＩＤ１」「ＩＤ２」と表す。以下同様）と、前述の情報サーバ７の物品データベース（図示せず）に登録された物品情報（対象物情報）へアクセスするためのデータ（「データＡ」「データＢ」）と、これらタグＩＤとデータとから構成される無線タグ情報がウイルス関連データや高危険性データ等の不正機能因子を含んでいないことを表す識別子（「安全マーク」但し図７（ｂ）の例には存在しない）と、誤り検出符号としてのフレームチェックシーケンス（「ＦＣＳ」）とを、記憶保持している。
【００６５】
無線タグ情報を構成する上記データとしては、情報サーバ７の物品データベース（図示せず）において物品データの格納先を示すアドレスであるＵＲＩ（Uniform  Resource  Indication)や、物品データを登録したデータベースへの問い合わせや操作するための各種コマンド等を含むデータ等が挙げられる。
【００６６】
以上の基本構成において、本実施形態の要部は、無線タグ回路素子Ｔoに書き込もうとする無線タグ情報に上記不正機能因子（ウイルス関連データや高危険性データ等）が検出された場合、その書き込みを行わないようにすることで書き込まれた情報の正当性を確保し、不正機能因子を備えた無線タグ回路素子の市場流通を防止することにある。図８は、これを実現するために、無線タグラベルＴの作成時に上記制御回路３０によって実行される制御手順を表すフローチャートである。
【００６７】
図８において、まずステップＳ６００で、端末５等により入力されたデータが上記通信回線３を介して取得される。この取得データとしては、無線タグラベルＴの無線タグ回路素子Ｔoに記憶させるための書き込みデータ（上記タグＩＤを含む無線タグ情報）と、印字ヘッド１０で上記無線タグラベルＴに印字したい印字データ（前述の例では「ＲＦ−ＩＤ」の文字）とがある。
【００６８】
そして、ステップＳ６１０において、上記通信回線３を介して受信された書き込みデータの無線タグ情報にウイルス関連データや高危険性データ等の不正機能因子が含まれているかどうかの検査を行う。このとき、無線タグ情報に不正機能因子が含まれていると判断されたときは、フラグＦ（後述するウイルスフラグまたはエラーフラグ）が１となり、無線タグ情報に不正機能因子が含まれていないと判断されたときは、フラグＦが０となる。なお、このステップＳ６１０の詳細については、後述する（図９参照）。このステップＳ６１０が終了したらステップＳ６２０に移る。
【００６９】
ステップＳ６２０では、フラグＦ＝０であるかどうかが判定される。フラグＦが０でないとき（すなわちＦ＝１であるとき）は、無線タグ情報に不正機能因子が含まれていることから本フローを終了する。なお、このようにして不正機能因子検出時にステップＳ６４０及びステップＳ６５０における無線タグラベル作成を行わない（＝そのような動作となるための制御信号を出力する制御信号生成手段）。
【００７０】
フラグＦ＝０であるときは、無線タグ情報に不正機能因子が含まれていないことからステップＳ６３０に移る。ステップＳ６３０では、書き込みデータの無線タグ情報に応じた誤り検出符号としてのフレームチェックシーケンス（ＦＣＳ）を公知の手法により計算する。
【００７１】
そして、ステップＳ６４０において、カートリッジ用モータ２３に制御信号を出力して圧着ローラ１０７等を駆動して基材テープ１０１及びカバーフィルム１０３の搬送を開始するとともに、印刷駆動回路２５に制御信号を出力して印字ヘッド１０を駆動し上記ステップＳ６００で取得した印字データの印字を前述のカバーフィルム１０３に対して行う。
【００７２】
そして、ステップＳ６５０において、無線タグラベルＴの無線タグ回路素子Ｔoに対し上記書き込みデータの書き込みを行う。すなわち、無線タグ回路素子ＴoのＩＣ回路部１５１への書き込みデータを、装置側アンテナ１４を介して当該無線タグ回路素子Ｔoへ送信してＩＣ回路部１５１に対して書き込む。なおこのとき、前述の不正機能因子を含んでいないことを表す識別子を併せて生成し、これについても書き込みを行う（なお、本実施形態の無線タグ回路素子Ｔoでは、好適には、上記書き込みデータ及び識別子の書き込みは１回のみ可能で、１回書き込んだらその後は書き込み不可に構成されていることがデータ及び識別子の信頼性確保の面から好ましい）。そして、ステップＳ６６０において、無線タグラベルＴの無線タグ回路素子Ｔoに対し、ステップＳ６３０で計算されたＦＣＳの書き込みを上記と同様にして行う。この結果、図７に例示したようなデータ構造の情報が当該無線タグ回路素子ＴoのＩＣ回路部１５１のメモリ部１５７に記憶保持される。
【００７３】
図９は、上述したステップＳ６１０の詳細手順を表すフローチャートである。
【００７４】
図９において、まずステップＳ７００で、上記通信回線３を介して受信された書き込みデータの無線タグ情報が上記ＵＲＩ（Uniform  Resource  Identifier）であるかどうかが判定される。無線タグ情報がＵＲＩである場合には判定が満たされてステップＳ７１０に移る。
【００７５】
ステップＳ７１０では、無線タグ情報であるＵＲＩがウイルス関連データであるかどうか、すなわち、当該ＵＲＩが指し示すファイル（以下、対象ファイルという）がウイルスに感染されているかどうかのチェックを行う。対象ファイルがウイルスに感染されていると判断されたときはウイルスフラグを１とし、対象ファイルがウイルスに感染されていないと判断されたときはウイルスフラグを０として、ステップＳ７３０に移る。
【００７６】
ステップＳ７３０では、ウイルスフラグが０であるか１であるかが判定される。ウイルスフラグが０であるときは、ステップＳ７５０において、対象ファイルがウイルスに感染されておらず安全である旨を、通信回線３を介して端末５または汎用コンピュータ６に送出しそれらに備えられた表示手段等によりユーザに対し報知を行う。一方、ウイルスフラグが１であるときは、ステップＳ７６０において、対象ファイルがウイルスに感染されている旨を、通信回線３を介して端末５または汎用コンピュータ６に送出しそれらに備えられた表示手段等によりユーザに対し報知を行う。なお、このようにウイルスフラグが１である場合には、上述したように図８に示すステップＳ６３０〜６６０が実行されることは無い。
【００７７】
一方、上記ステップＳ７００で、無線タグ情報がＵＲＩでない場合には判定が満たされずステップＳ７２０に移る。ステップＳ７２０では、無線タグ情報に後で詳述する例えばデータベースの消去コマンドなど破壊性のある危険性の高い高危険性データ（データベースに対する管理コマンド）が含まれているかどうかのチェックを行う。このとき、無線タグ情報に高危険性データが含まれていると判断されたときはエラーフラグを１とし、無線タグ情報に高危険性データが含まれていないと判断されたときはエラーフラグを０として、ステップＳ７４０に移る。
【００７８】
ステップＳ７４０では、エラーフラグが０であるか１であるかが判定される。エラーフラグが０であるときは、ステップＳ７７０において、無線タグ情報に高危険性データが含まれておらず安全である旨を、通信回線３を介して端末５または汎用コンピュータ６に送出しそれらに備えられた表示手段等によりユーザに対し報知を行う。一方、エラーフラグが１であるときは、ステップＳ７８０において、無線タグ情報に高危険性データが含まれている旨を、通信回線３を介して端末５または汎用コンピュータ６に送出しそれらに備えられた表示手段等によりユーザに対し報知を行う。上記同様、このようにエラーフラグが１である場合には、上述したように図８に示すステップＳ６３０〜６６０が実行されることは無い。
【００７９】
図１０は、上述したステップＳ７１０の詳細手順を表すフローチャートである。
【００８０】
図１０において、まずステップＳ８００で、メモリ部３００に問い合わせ信号を送出し、データベースに登録されたウイルスのパターンファイルを読み込む。そして、ステップＳ８１０において、無線タグ情報であるＵＲＩに基づき、上記通信回線３を介して上記対象ファイルのネットワーク上の格納先にアクセスして当該対象ファイルを入手し、この対象ファイルを上記ウイルスのパターンファイルと照合する。
【００８１】
そして、ステップＳ８２０において、対象ファイルにウイルスパターンと一致したものがあるかどうかを検出する。対象ファイルにウイルスパターンと一致したものがあるときは判定が満たされ、ステップＳ８３０において、対象ファイルがウイルスに感染しているとしてウイルスフラグを１にする。一方、ステップＳ８２０で対象ファイルにウイルスパターンと一致したものがないときは判定が満たされず、ステップＳ８４０において、対象ファイルがウイルスに感染していないとしてウイルスフラグを０にする。このとき、前述したようにウイルスのパターンファイルは所定時間ごとに更新されているため、最新のパターンファイルを用いてウイルスチェックを的確に行うことができる。
【００８２】
図１１は、上述したステップＳ７２０の詳細手順を表すフローチャートである。
【００８３】
図１１において、まずステップＳ９００で、初期設定としてエラーフラグ＝０としておく。そして、ステップＳ９１０において、無線タグ情報に、関係データベースに対する問い合わせ言語であるＳＱＬ（Structured  Query  Language）文が含まれているかどうかを判定する。ＳＱＬ文が含まれていないときは判定が満たされず本フローを終了し、ＳＱＬ文が含まれているとき判定が満たされてステップＳ９２０に移る。
【００８４】
ステップＳ９２０では、無線タグ情報に、データベースそのものを操作するコマンドである管理コマンドが含まれているかどうかを判定する。管理コマンドが含まれているときは判定が満たされ、データ破壊を行う高危険性データである可能性があるとしてステップＳ９４０においてエラーフラグ＝１として、本フローを終了する。ステップＳ９２０において管理コマンドが含まれていないときは判定が満たされずステップＳ９３０に移る。
【００８５】
ステップＳ９３０では、無線タグ情報に、￥、＜、＞、‘、％、；、）、（、＆、±等といった危険性の高い特殊文字（ある文字列がこれらの特殊文字に囲まれている場合にある文字列がコマンドとして認識されて実行されるもの）が含まれているかどうかを判定し、特殊文字が含まれているときは判定が満たされてステップＳ９５０に移り、特殊文字をエスケープ（安全化処理）する。具体的には、例えば「￥」の場合には「￥￥」のように、同じ特殊文字を２回続けるようにする。そして、ステップＳ９６０において、特殊文字をエスケープ（修復）した旨を、通信回線３を介して端末５または汎用コンピュータ６に送出しそれらに備えられた表示手段等によりユーザに対し報知を行う。一方、ステップＳ９３０において特殊文字が含まれていないときは判定が満たされず、そのまま本フローを終了する。
【００８６】
以上において、図８に示すフローのステップＳ６００は、各請求項記載の、送受信手段を介し無線タグ回路素子Ｔoに書き込むための無線タグ情報を入力するタグ情報入力手段を構成する。
【００８７】
また、図１０のフローに示すステップＳ８１０及びステップＳ８２０が、タグ情報入力手段で入力した無線タグ情報に含まれる不正機能因子としてのコンピュータウイルス関連データを検出するウイルス検出手段を構成するとともに、記憶装置３００のデータベースより取得した不正機能因子情報を用いて、タグ情報入力手段で入力した無線タグ情報の不正機能因子を検出する第２不正検出手段をも構成する。また、図１１のフローに示すステップＳ９１０、ステップＳ９２０、ステップＳ９３０は、タグ情報入力手段で入力した無線タグ情報に含まれる不正機能因子としての所定の高危険性データを検出する危険データ検出手段を構成する。そして、これらステップＳ８１０、ステップＳ８２０、ステップＳ９１０、ステップＳ９２０、ステップＳ９３０は、無線タグ情報入力手段で入力した無線タグ情報における不正機能因子を検出する第１不正検出手段を構成する。
【００８８】
また、図１１に示すフローのステップＳ９５０は、危険データ検出手段で高危険性データが検出された場合、高危険性データを安全化処理する安全化手段を構成する。また図９に示すフローのステップＳ７６０、ステップＳ７８０は、第１不正検出手段で前記不正機能因子を検出した場合、対応する制御信号を生成する制御信号生成手段を構成する。
【００８９】
また、図１０に示すフローのステップＳ８００は、記憶装置に問い合わせ信号を出力し、データベース内の不正機能因子情報を取得する不正因子情報取得手段を構成する。
【００９０】
なお、以上においては、無線タグ回路素子Ｔoに書き込むための無線タグ情報をタグラベル作成装置２に入力し、タグラベル作成装置２において、当該入力した無線タグ情報に不正機能因子がないかどうかを検出するようにしたが、これに限られない。すなわち、タグラベル作成装置２外に、上述の第１不正検出手段や第２不正検出手段を備えた検出処理装置を設け、この検出処理装置で不正機能因子がないと判定された（不正機能因子を検出しなかった）安全なデータのみをタグラベル作成装置２に出力し、ラベル作成を行うようにしても良い。
【００９１】
図１２は、上述したタグラベル作成装置２によって作成された無線タグラベルＴの無線タグ回路素子Ｔoに記憶された無線タグ情報を読み取るための無線タグ情報読み取り装置の詳細機能を表す機能ブロック図である。
【００９２】
この図１２において、無線タグ情報読み取り装置２００は、無線タグ回路素子Ｔoの上記アンテナ１５２との間で無線通信により信号の授受を行うアンテナ２１０（装置側アンテナ）と、このアンテナ２１０を介し上記無線タグ回路素子ＴoのＩＣ回路部１５１へアクセスして所定の情報の読み取りを行うとともに、無線タグ回路素子Ｔoから読み出された信号を処理する高周波回路２０１と、高周波回路２０１を介し無線タグ回路素子ＴoのＩＣ回路部１５１から読み出された信号を処理して情報を読み出すとともに無線タグ回路素子ＴoのＩＣ回路部１５１へアクセスするためのアクセス情報を生成する機能を含み、無線タグ情報読み取り装置２００全体の動作を制御する制御回路２０２と、無線タグラベルＴの無線タグ回路素子Ｔoに備えられた無線タグ情報に関する表示を行う表示部２０３とを有する。なお、高周波回路２０１及び制御回路２０２が、無線タグ回路素子のＩＣ回路部へアクセスするためのアクセス情報を生成し、装置側アンテナを介して無線タグ回路素子へ送信し、ＩＣ回路部に記憶された情報の読み取りを行う情報アクセス手段を構成する。
【００９３】
高周波回路２０１は、詳細な説明を省略するが、上記タグラベル作成装置２の高周波回路２１とほぼ同等の機能を備えている。また、制御回路２０２は、図示しない有線又は無線の通信回線（ネットワーク）を介して上記の情報サーバ７等と接続されており、情報サーバ７等と情報の送受が可能となっている。
【００９４】
図１３は、制御回路２０２の実行する制御手順を表すフローチャートである。
【００９５】
この図１３において、まずステップＳ５０５で、高周波回路２０１及びアンテナ２１０を介して、無線タグラベルＴの無線タグ回路素子ＴoのＩＣ回路部１５１に記憶された無線タグ情報（少なくともタグＩＤを含む）を読み取るための不特定探索信号（アクセス情報）を送信して、返信を促す。
【００９６】
その後、ステップＳ５１０に移り、上記の不特定探索信号に対応して無線タグ回路素子Ｔoから送信（返信）された無線タグ情報がアンテナ２１０を介し受信され、高周波回路２０１を介して取り込まれたかどうかを判定する。上記の不特定探索信号に対応した無線タグ情報が受信されていなければ判定が満たされず、ステップＳ５０５に戻って同様の手順を繰り返す。上記の不特定探索信号に対応した無線タグ情報が受信されたら判定が満たされ、ステップＳ５１５へ移る。
【００９７】
ステップＳ５１５では、ステップＳ５１０で受信した無線タグ情報に対応する、前述の不正機能因子を含まない旨の識別子（安全マーク）を読み取るための情報要求信号を、高周波回路２０１及びアンテナ２１０を介して該当する無線タグ回路素子Ｔoに送信して、返信を促す。
【００９８】
次に、ステップＳ５２５において、上記の情報要求信号に対応して無線タグ回路素子Ｔoから送信（返信）された上記識別子がアンテナ２１０を介し受信され、高周波回路２０１を介して取り込まれたかどうかを判定する（判定手段）。無線タグ情報が不正機能因子を含まない旨の識別子（安全マーク）があるときはステップＳ５３０に移り、当該識別子が無いときはステップＳ５３５に移る。
【００９９】
ステップＳ５３０では、無線タグ情報（例えばＵＲＩ）を基にして、情報サーバ７の記憶装置（図示せず）に物品データベースとして登録された物品情報のうち無線タグ情報に対応する物品情報（対象物情報）を取得するための物品情報問合せ信号を生成し、この物品情報問合せ信号を有線又は無線の通信回線を介して情報サーバ７に送信し、ステップＳ５４０に移る。
【０１００】
そして、ステップＳ５４０において、上記の物品情報問合せ信号に対応する物品情報が情報サーバ７から取得されたかどうかを判定する。物品情報問合せ信号に対応する物品情報が取得されていなければ判定が満たされず、ステップＳ５３０に戻って同様の手順を繰り返す。物品情報問合せ信号に対応する物品情報が取得されたら判定が満たされ、ステップＳ５４５において、取得した物品情報を表示部２０３に出力し、このフローを終了する。なお、上記ステップＳ５３０、ステップＳ５４０が、判定手段で識別子を取得していないと判定されたときには、情報アクセス手段での情報読み取り結果に基づく当該無線タグ回路素子の対象物情報の取得を行わず、判定手段で識別子を取得したと判定されたときには、情報アクセス手段での情報読み取り結果に基づき当該無線タグ回路素子の対象物情報の取得を実行する対象物情報取得手段を構成する。
【０１０１】
一方、ステップＳ５３５では、受信したデータに識別子が無い旨の報知を行うための報知信号を生成し（報知信号生成手段）、これを表示部２０３に出力し、このフローを終了する。これにより、その旨が表示部２０３に表示されることになるため、操作者は無線タグ情報に不正機能因子が含まれているおそれがあることを知ることができる。
【０１０２】
以上のように構成した本実施形態においては、タグラベル作成装置２により無線タグ回路素子Ｔoを備えた無線タグラベルＴを作成する際に、無線タグ回路素子ＴoのＩＣ回路部１５１に登録すべき無線タグ情報にコンピュータウイルス関連データや破壊性のある高危険性データといった不正機能因子が含まれているかどうかをチェックし、不正機能因子が検出された場合には、無線タグ回路素子Ｔoへの無線タグ情報の書き込みを行わないようにする。これにより、無線タグ回路素子Ｔoに書き込まれた無線タグ情報の正当性が確保されるため、不正機能因子を備えた無線タグ回路素子Ｔoの市場流通を防止することができる。その結果、悪意のサイバー攻撃等に利用されるのを防止することができる。
【０１０３】
また、無線タグ情報読み取り装置２００により無線タグラベルＴの無線タグ回路素子Ｔoに備えられた情報を読み取った際に、無線タグ情報に不正機能因子が含まれていない旨を表す識別子（安全マーク）を検出し、識別子を取得していないときは、無線タグ情報に不正機能因子が含まれているとみなして、無線タグ情報に対応する物品情報を物品データベース７から取得しないようにし、当該無線タグラベルＴを市場に流通させないようにする。これによっても、上記と同様に不正機能因子が機能するのを防止することが可能となる。
【０１０４】
なお、本発明は、上記実施形態に限られるものではなく、その趣旨と技術思想の範囲を逸脱しない範囲でさらに種々の変形が可能である。
【０１０５】
例えば上記実施形態では、無線タグ生成システム１の情報サーバ７には、物品情報を物品データベースとして格納保持した記憶装置が設けられているが、記憶装置に登録するデータベースには、特に物品情報に限られず、例えば在庫情報や顧客情報等を対象物情報として登録することも可能である。また、そのようなデータベースは、不正機能因子の情報を登録したデータベースと共にタグラベル作成装置２の記憶装置に設けるようにしても良い。
【０１０６】
また、上記タグラベル作成装置２において、無線タグ回路素子Ｔoを備えた基材テープ１０１とは別のカバーフィルム１０３に印字を行ってこれらを貼り合わせる方式であったが、これに限られず、タグ媒体としてのタグテープに備えられた被印字テープ層に印字を行う方式（貼りあわせを行わないタイプ）に本発明を適用してもよい。
【０１０７】
また、無線タグ情報に不正機能因子が含まれていない旨を表す識別子（安全マーク）は暗号化やハッシュ化されて記録されるとより信頼性の高いシステムとなる。さらに識別子として署名などフィンガープリントを用いると迅速に処理できる。
【図面の簡単な説明】
【０１０８】
【図１】本発明の一実施形態のタグラベル作成装置が適用される無線タグ生成システムを表すシステム構成図である。
【図２】タグラベル作成装置の詳細構造を表す概念的構成図である。
【図３】カートリッジの詳細構造を説明するための説明図である。
【図４】高周波回路の詳細機能を表す機能ブロック図である。
【図５】無線タグ回路素子の機能的構成を表す機能ブロック図である。
【図６】無線タグラベルの外観の一例を表す上面図及び下面図である。
【図７】無線タグ回路素子のメモリ部に記憶されたデータ内容を概念的に表す図である。
【図８】図２に示す制御回路によって実行される制御手順を表すフローチャートである。
【図９】図８に示したステップＳ６１０の詳細手順を表すフローチャートである。
【図１０】図９に示したステップＳ７１０の詳細手順を表すフローチャートである。
【図１１】図９に示したステップＳ７２０の詳細手順を表すフローチャートである。
【図１２】本発明の一実施形態の無線タグ情報読み取り装置の詳細機能を表す機能ブロック図である。
【図１３】図１２に示す制御回路の実行する制御手順を表すフローチャートである。
【符号の説明】
【０１０９】
２                タグラベル作成装置
１０              印字ヘッド（印字手段）
１４              アンテナ（装置側アンテナ、送受信手段）
２１              高周波回路
２２              信号処理回路
３０              制御回路
１０１            基材テープ（タグ媒体）
１０７            圧着ローラ（搬送手段）
１５１            ＩＣ回路部
１５２            アンテナ（タグ側アンテナ）
２００            無線タグ情報読み取り装置
２０１            高周波回路（情報アクセス手段）
２０２            制御回路
２０３            表示部
３００            メモリ部（記憶装置）
Ｔ                無線タグラベル
Ｔo               無線タグ回路素子
【図１】
2008027145.tif 000003
【図２】
2008027145.tif 000004
【図３】
2008027145.tif 000005
【図４】
2008027145.tif 000006
【図５】
2008027145.tif 000007
【図６】
2008027145.tif 000008
【図７】
2008027145.tif 000009
【図８】
2008027145.tif 000010
【図９】
2008027145.tif 000011
【図１０】
2008027145.tif 000012
【図１１】
2008027145.tif 000013
【図１２】
2008027145.tif 000014
【図１３】
2008027145.tif 000015